(57)【要約】【課題】周壁との間に隙間を設けつつ、コネクタハウジング内に部品を配設するのに好適な係止構造を有するコネクタを提供する。【解決手段】コネクタハウジング１０をインナハウジング１０Ａとアウタハウジング１０Ｂとで構成し、インナハウジング１０Ａとアウタハウジング１０Ｂのどちらか一方に、可撓性を有し、組付方向に向かって延設された係止腕１４と、係止腕先端１４ａに組付方向に対して直交する方向に突設された係止部１４ｂと、インナハウジング１０Ａとアウタハウジング１０Ｂの他方に、係止腕１４が隙間なく挿入される挿通孔１８と、係止部１４ｂと係合可能に形成された係止受部１９とを設け、係止腕先端１４ａの係止部１４ｂ裏側に先細の段部１４ｄを形成することで、係止部裏側１４ｃと挿通孔１８との間に、撓みスペース１８ｂを設ける。【選択図】図６
2011233336.tif 000002
【特許請求の範囲】
【請求項１】
コネクタハウジングが、インナハウジングとアウタハウジングとで構成され、
該インナハウジングと該アウタハウジングのどちらか一方に、可撓性を有し、組付方向に向かって延設された係止腕と、該係止腕先端に組付方向に対して直交する方向に突設された係止部と、
該インナハウジングと該アウタハウジングの他方に、該係止腕が隙間なく挿入される挿通孔と、該係止部と係合可能に形成された係止受部とを備え、
該係止腕先端の該係止部裏側に先細の段部を形成することで、該係止部裏側と該挿通孔との間に、撓みスペースを設けたことを特徴とするコネクタ。
【発明の詳細な説明】
【技術分野】
【０００１】
本発明は、複数の部品を組立てることでコネクタハウジングが構成されるコネクタに関する。
【背景技術】
【０００２】
従来、複数の部品で組立てられたコネクタハウジングに端子金具を装着したコネクタとして、特許文献１に記載されているものが提案されている。
【０００３】
特許文献１のコネクタ１０１は、コネクタハウジング１１０の防水性を確保するために、コネクタハウジング１１０内のプレートハウジング収容室１１２の後端側にシール材１４０が配設されている。また、シール材１４０は、プレートハウジング収容室１１２の後端に配設されるリアホルダ１５０によって、プレートハウジング収容室１１２に狭持されている。シール材１４０は、端子金具（図示せず）に接続された電線１５１が挿通され、電線１５１の周囲に密着するとともに、外周部全域と挿入方向の前後部とに、プレートハウジング収容室１１２との間で押圧されて変形するリップ部１４１を備えている。そして、リアホルダ１５０によって、リップ部１４１がプレートハウジング収容室１１２に狭持、密着することで、外部からプレートハウジング収容室１１２内に水が浸入することを防止している。
【０００４】
なお、リアホルダ１５０は、プレートハウジング収容室１１２の周壁１１３の内面に係止させることで、プレートハウジング収容室１１２内に配置されている。
【先行技術文献】
【特許文献】
【０００５】
【特許文献１】特開２００７−３３５２９８号公報
【発明の概要】
【発明が解決しようとする課題】
【０００６】
ところで、前述した従来のコネクタでは、コネクタハウジングに部品を組付ける際に、周壁の内面に係合させ、固定しているが、周壁との間に隙間を設け、この隙間に相手側コネクタハウジングが挿入される場合には、このような組付手段を採用することができない。
【０００７】
本発明は、上記事情を考慮し、周壁との間に隙間を設けつつ、コネクタハウジング内に部品を配設するのに好適な係止構造を有するコネクタを提供することを目的とする。
【課題を解決するための手段】
【０００８】
請求項１の発明は、コネクタハウジングが、インナハウジングとアウタハウジングとで構成され、該インナハウジングと該アウタハウジングのどちらか一方に、可撓性を有し、組付方向に向かって延設された係止腕と、該係止腕先端に組付方向に対して直交する方向に突設された係止部と、該インナハウジングと該アウタハウジングの他方に、該係止腕が隙間なく挿入される挿通孔と、該係止部と係合可能に形成された係止受部とを備え、該係止腕先端の該係止部裏側に先細の段部を形成することで、該係止部裏側と該挿通孔との間に、撓みスペースを設けたことを特徴としている。
【発明の効果】
【０００９】
請求項１の発明によれば、係止腕先端の係止部裏側に先細の段部を形成し、係止腕と挿通孔との間に、撓みスペースを設けることで、挿通孔の孔径を大きくすることなく係止部を撓ませることができる。このため、限られたスペースの中で挿通孔の孔径の影響を受けずに要求される係止部と係止受部の大きさを確保できるので、十分な係合強度を得ることができる。
【図面の簡単な説明】
【００１０】
【図１】本発明の一実施形態を示し、コネクタハウジングの分解斜視図である。
【図２】本発明の一実施形態を示し、コネクタハウジング組立前の図１のX−X線に沿った断面斜視図である。
【図３】本発明の一実施形態を示し、コネクタハウジング組立前の図１のX−X線に沿った断面図である。
【図４】本発明の一実施形態を示し、コネクタハウジング組立途中の図１のX−X線に沿った断面図である。
【図５】本発明の一実施形態を示し、コネクタハウジング組立後の図１のX−X線に沿った断面斜視図である。
【図６】本発明の一実施形態を示し、コネクタハウジング組立後の図１のX−X線に沿った断面図である。
【図７】従来のコネクタハウジングを示し、コネクタハウジング組立後の状態を示す断面図である。
【発明を実施するための形態】
【００１１】
以下、本発明の実施形態を図面を参照して説明する。図１〜図６は本発明の一実施形態を示し、図１はコネクタハウジングの分解斜視図、図２はコネクタハウジング組立前の図１のX−X線に沿った断面斜視図、図３はコネクタハウジング組立前の図１のX−X線に沿った断面図、図４はコネクタハウジング組立途中の図１のX−X線に沿った断面図、図５はコネクタハウジング組立後の図１のX−X線に沿った断面斜視図、図６はコネクタハウジング組立後の図１のX−X線に沿った断面図である。
【００１２】
本実施形態のコネクタ１を構成する雌側コネクタ２は、インナハウジング１０Ａとアウタハウジング１０Ｂとで構成されるコネクタハウジング１０と、インナハウジング１０Ａとアウタハウジング１０Ｂとの間に挟持されるシール材４０と、端子金具（図示せず）とで、構成されている。
【００１３】
インナハウジング１０Ａは、略直方体状の本体部分１１内部に複数の端子金具が挿入される端子収容室１２と、係止腕１４とが設けられている。端子収容室１２は、単純な貫通孔として、端子金具が後端側から前端側に挿通可能に形成されている。インナハウジング１０Ａの後端面１１ａには、可撓性を有し、アウタハウジング１０Ｂへの組付方向に向かって延設された係止腕１４が設けられ、この係止腕先端１４ａに組付方向に対して直交する方向に係止突起１４ｂ（係止部）が突設されている。また、係止腕先端１４ａの係止部裏側１４ｃに、係止腕１４の他の部位よりも係止腕先端１４ａ側が細く設定された段部１４ｄが形成されている。また、係止部裏面側１４ｃは断面が半円状に形成され、先細になっている部位が鋭角にならないように設定されている。
【００１４】
アウタハウジング１０Ｂは、筒形状を有する周壁１５と、周壁１５の後端側を閉止する底壁１６とで構成され、周壁１５と底壁１６とで形成される内部空間は、インナハウジング１０Ａが収容されるインナ収容室１７に設定されている。また、底壁１６には、係止腕１４が隙間なく挿入される挿通孔１８が形成され、挿通孔１８の後端側開口縁１８ａに係止腕先端１４ａの係止突起１４ｂと係合可能に係止受部１９が形成されている。
【００１５】
シール材４０は、弾力性のある柔軟な素材をモールド成型することによって、アウタハウジング１０Ｂの底壁１６内面側に一体に成形されている。また、シール材４０には、端子金具が貫通する貫通孔（図示せず）と、インナハウジング１０Ａの係止腕１４が挿入される腕孔４１が形成されている。
【００１６】
上記構成において、雌側コネクタ２を組立てる手順として、まず、インナハウジング１０Ａをアウタハウジング１０Ｂのインナ収容室１７に挿入する。ここで、係止腕先端１４ａをシール材４０の腕孔４１に挿入する。さらにインナハウジング１０Ａを挿入すると、係止腕先端１４ａの斜面１４ｅが、底壁１６の挿通孔１８の後端側開口縁１８ａに当接し、先細の係止腕先端１４ａが係止部裏側と挿通孔１８との間に形成される撓みスペース１８ｂ内で撓みながら、挿通孔１８に挿入される。またさらにインナハウジング１０Ａを挿入すると、インナハウジング１０Ａの後端面１１ａとアウタハウジング１０Ｂの底壁１６との間に、シール材４０が圧縮、狭持された状態で、係止腕先端１４ａが弾性復帰して、係止腕先端１４ａの係止突起１４ｂが係止受部１９に係合する。
【００１７】
そして、インナハウジング１０Ａとアウタハウジング１０Ｂとの間に形成される空間に、相手側ハウジング（図示せず）を挿入することで、相手側ハウジングの開口端内面にシール材４０が密着し、コネクタハウジング１０と相手側ハウジングとの間の水密性が発揮される。
【００１８】
以上のように、本実施形態のコネクタ１によれば、係止腕先端１４ａの係止部裏側に先細の段部を形成し、係止腕と挿通孔との間に、撓みスペース１８ｂを設けることで、挿通孔の孔径を大きくすることなく係止部を撓ませることができる。
【００１９】
これにより、限られたスペースの中で挿通孔の孔径の影響を受けずに要求される係止部と係止受部の大きさを確保できるので、十分な係合強度を得ることができる。
【００２０】
また、係止部裏面側１４ｃの断面形状が半円状に形成され、先細になっている部位が鋭角にならないように設定されていることで、係止腕１４を腕孔４１に挿入する際に、シール材４０を傷付けないように配慮されている。
【符号の説明】
【００２１】
１…コネクタ
１０…コネクタハウジング
１０Ａ…インナハウジング
１０Ｂ…アウタハウジング
１４…係止腕
１４ａ…係止腕先端
１４ｂ…係止突起（係止部）
１４ｃ…係止部裏側
１４ｄ…段部
１８…挿通孔
１８ｂ…撓みスペース
１９…係止受部
【図１】
2011233336.tif 000003
【図２】
2011233336.tif 000004
【図３】
2011233336.tif 000005
【図４】
2011233336.tif 000006
【図５】
2011233336.tif 000007
【図６】
2011233336.tif 000008
【図７】
2011233336.tif 000009